(57)【特許請求の範囲】
【請求項１】
装置本体と、該装置本体の前面から手前側に引き出し可能に配設された抽斗と、該抽斗に取り付けられ、収納する棒状硬貨の種類ごとに、棒状硬貨の外径に対応する収納溝が設けられた収納トレイと、を備えた硬貨収納装置において、
前記収納溝の深さを、対応する外径を有する棒状硬貨が収納された場合に該棒状硬貨が該収納溝の底部に着地した状態となるとともに収納された棒状硬貨と前記装置本体の前面開口との間に隙間が残り、対応する外径よりも大きな外径を有する棒状硬貨が収納された場合に該棒状硬貨の少なくとも一部が該収納溝の底部から離間した状態となるとともに収納された棒状硬貨と前記装置本体の前面開口とが干渉するように設定したことを特徴とする硬貨収納装置。
【請求項２】
装置本体と、該装置本体の前面から手前側に引き出し可能に配設された抽斗と、該抽斗に取り付けられ、収納する棒状硬貨の種類ごとに、棒状硬貨の外径に対応する収納溝が設けられた収納トレイと、を備えた硬貨収納装置において、
前記収納溝の深さと幅を、対応する外径を有する棒状硬貨が収納された場合に該棒状硬貨が該収納溝の底部に着地した状態となるとともに収納された棒状硬貨と前記装置本体の前面開口との間に隙間が残り、対応する外径よりも大きな外径を有する棒状硬貨が収納された場合に該棒状硬貨の少なくとも一部が該収納溝の底部から離間した状態となるとともに収納された棒状硬貨と前記装置本体の前面開口とが干渉するように設定したことを特徴とする硬貨収納装置。
【発明の詳細な説明】
【技術分野】
【０００１】
本発明は、あらかじめ設定した枚数の硬貨を積層して包装した棒状硬貨を収納する硬貨収納装置に関する。
【背景技術】
【０００２】
昨今のスーパーマーケットやコンビニエンスストアでは、ＰＯＳ（Ｐｏｉｎｔ  Ｏｆ  Ｓａｌｅｓ）レジスタに釣銭機と称される貨幣処理装置が接続されているのが一般的である。貨幣処理装置は、たとえば、貨幣が投入された場合にこれを識別して収納する一方、ＰＯＳレジスタから出金指令が与えられた場合には該当する金額の貨幣を払い出すようにしたものである。
【０００３】
この種の貨幣処理装置の中には、硬貨収納装置を付設したものがある。硬貨収納装置は、あらかじめ設定した枚数の硬貨を積層して包装した棒状硬貨を収納するものであり、貨幣処理装置において出金する硬貨が足りなくなった場合には、硬貨収納装置から足りなくなった硬貨と同一種類の棒状硬貨が取り出され、貨幣処理装置に補充される。
【０００４】
硬貨収納装置は、装置本体と、装置本体に対して引き出し可能に配設された抽斗とを備えている。抽斗は、棒状硬貨を収納するためのもので、抽斗の上面には、棒状硬貨を収納する収納トレイが取り付けてある。収納トレイは、あらかじめ定めた種類の棒状硬貨をあらかじめ定めた位置に収納するためのもので、あらかじめ定めた種類の棒状硬貨を収納する収納溝があらかじめ定めた位置に設けてある。収納溝は、収納する棒状硬貨の外径と積層高さに合わせて形成してあり、収納溝の大きさは、収納する棒状硬貨の種類ごとに異なる。そして、あらかじめ定めた種類の棒状硬貨は、あらかじめ定めた位置に設けた収納溝に横倒し姿勢で収納される（たとえば、特許文献１参照）。
【先行技術文献】
【特許文献】
【０００５】
【特許文献１】特開２０１１−１８２３１号公報
【発明の概要】
【発明が解決しようとする課題】
【０００６】
しかしながら、棒状硬貨を棒状硬貨の種類に対応する収納溝と異なる収納溝に収納したり、収納すべき棒状硬貨と異なる種類の棒状硬貨を収納溝に収納してもわからない場合がある。
【０００７】
本発明は、上記に鑑みてなされたものであって、棒状硬貨を棒状硬貨の種類に対応する収納溝と異なる収納溝に収納したり、収納すべき棒状硬貨と異なる種類の棒状硬貨を収納溝に収納しても簡単にわかる硬貨収納装置を提供することを目的とする。
【課題を解決するための手段】
【０００８】
上述した課題を解決し、目的を達成するために、本発明は、装置本体と、該装置本体の前面から手前側に引き出し可能に配設された抽斗と、該抽斗に取り付けられ、収納する棒状硬貨の種類ごとに、棒状硬貨の外径に対応する収納溝が設けられた収納トレイと、を備えた硬貨収納装置において、前記収納溝の深さを、対応する外径を有する棒状硬貨が収納された場合に該棒状硬貨が該収納溝の底部に着地した状態となるとともに収納された棒状硬貨と前記装置本体の前面開口との間に隙間が残り、対応する外径よりも大きな外径を有する棒状硬貨が収納された場合に該棒状硬貨の少なくとも一部が該収納溝の底部から離間した状態となるとともに収納された棒状硬貨と前記装置本体の前面開口とが干渉するように設定したことを特徴とする。
【０００９】
また、本発明は、装置本体と、該装置本体の前面から手前側に引き出し可能に配設された抽斗と、該抽斗に取り付けられ、収納する棒状硬貨の種類ごとに、棒状硬貨の外径に対応する収納溝が設けられた収納トレイと、を備えた硬貨収納装置において、前記収納溝の深さと幅を、対応する外径を有する棒状硬貨が収納された場合に該棒状硬貨が該収納溝の底部に着地した状態となるとともに収納された棒状硬貨と前記装置本体の前面開口との間に隙間が残り、対応する外径よりも大きな外径を有する棒状硬貨が収納された場合に該棒状硬貨の少なくとも一部が該収納溝の底部から離間した状態となるとともに収納された棒状硬貨と前記装置本体の前面開口とが干渉するように設定したことを特徴とする。
【発明の効果】
【００１０】
本発明にかかる硬貨収納装置は、前記収納溝の深さ、あるいは深さと幅を、対応する外径を有する棒状硬貨が収納された場合に収納された棒状硬貨と前記装置本体の前面開口との間に隙間が残り、対応する外径よりも大きな外径を有する棒状硬貨が収納された場合に収納された棒状硬貨と前記装置本体の前面開口とが干渉するように設定したので、対応する外径よりも大きな外径を有する棒状硬貨を収納した場合には抽斗が装置本体に収納不能となる。これにより、棒状硬貨を棒状硬貨の種類に対応する収納溝よりも小さな収納溝に収納したり、収納すべき棒状硬貨よりも大きな外径の棒状硬貨を収納しても簡単にわかる。
【図面の簡単な説明】
【００１１】
【図１】図１は、本発明の実施の形態である硬貨収納装置に貨幣処理装置を載せた状態を示す斜視図である。
【図２】図２は、図１に示した硬貨収納装置において、装置本体から抽斗を引き出した状態を示す斜視図である。
【図３】図３は、本発明の実施の形態である硬貨収納装置を示す斜視図である。
【図４】図４は、図３に示した硬貨収納装置において、装置本体から抽斗を引き出した状態を示す斜視図である。
【図５】図５は、図３に示した硬貨収納装置の内部構造を示す斜視図である。
【図６】図６は、図５に示したロック機構およびダンパー装置の詳細を示す斜視図である。
【図７】図７は、図５に示した収納トレイの詳細を示す図である。
【図８】図８は、図４に示した硬貨収納装置において、ユニットを交換する手順を示す図である。
【図９】図９は、図８に示した硬貨収納装置において、ユニットを交換した後の状態を示す図である。
【図１０】図１０は、１系硬貨収納ユニットを示す斜視図である。
【図１１】図１１は、５系硬貨収納ユニットを示す斜視図である。
【図１２】図１２は、１円硬貨収納ユニット、１０円硬貨収納ユニット、１００円硬貨収納ユニットにおける収納溝の形状を示す断面図である。
【図１３】図１３は、１円硬貨収納ユニットに誤って１０円硬貨を収納した状態を示す断面図である。
【図１４】図１４は、１円硬貨収納ユニットに誤って１０円硬貨を収納することにより、抽斗が収納不能となった状態を示す図である。
【図１５】図１５は、硬貨収納ユニットの構造を示す斜視図である。
【図１６】図１６は、図１５に示した硬貨収納ユニットの連結構造を示す正面図である。
【図１７】図１７は、図１５に示した連結構造の詳細を示す正面図である。
【発明を実施するための形態】
【００１２】
以下に、本発明にかかる硬貨収納装置の実施の形態を図面に基づいて詳細に説明する。なお、この実施の形態によりこの発明が限定されるものではない。
【００１３】
図１および図２は、本発明の実施の形態である硬貨収納装置に釣銭機等の貨幣処理装置Ｃを載せた状態を示したものであり、図３および図４は、本発明の実施の形態である硬貨収納装置だけを示したものである。ここで例示する硬貨収納装置１は、ＰＯＳレジスタ（図示せず）に接続された貨幣処理装置Ｃに補充する棒状硬貨を準備金として収納するものである。棒状硬貨とは、同一種類の硬貨をあらかじめ設定した枚数だけ積層して包装し、一つの取扱単位として構成したものである。本実施の形態では、１円硬貨、５円硬貨、１０円硬貨、５０円硬貨、１００円硬貨、５００円硬貨をそれぞれ所定の枚数ずつ包装した棒状硬貨を収納対象とする。
【００１４】
図１〜図４に示すように、硬貨収納装置１は、装置本体２と、装置本体２の前面から手前側に引き出し可能に配設された抽斗３と、を備えている。また、図１、図２に示すように、この硬貨収納装置１の上面に載置される貨幣処理装置Ｃは、その前面側に硬貨取出トレイ等の前面突出部Ｃ１が設けられている。
【００１５】
装置本体２は、前面が開口した直方体形状を成すものである。この装置本体２には、その内部に左右対となる本体側ガイド部材（図示せず）が設けてある。本体側ガイド部材は、それぞれ装置本体２の側壁内面に取り付けてある。
【００１６】
図２および図４に示すように、抽斗３は、装置本体２に設けた左右対となる本体側ガイド部材の間に挿入可能となる大きさに構成した箱体であり、上面全面が開口した直方体形状を成している。この抽斗３には、両側壁の外面にそれぞれ抽斗側ガイド部材３１が設けてある。抽斗側ガイド部材３１は、抽斗３の外面から外方に向けて突出したものである。それぞれの抽斗側ガイド部材３１は、装置本体２に設けた本体側ガイド部材に摺動自在に当接することにより、抽斗３を装置本体２の前面に設けた開口から引き出し可能に支持している。
【００１７】
図５に示すように、装置本体２と抽斗３との間には、ロック機構４が設けてある。ロック機構４は、装置本体２に対する抽斗３の引き出しを制限するものである。図６に示すように、本実施の形態では、抽斗３の奥外に係止棒４１を設ける一方、装置本体２の内部奥側にフック４２とソレノイド４３を設けることによって、ロック機構４を構成している。
【００１８】
係止棒４１は、抽斗３の奥外中央に取り付けられた棒状の部材であり、上端と下端とがそれぞれ抽斗３から突出した金具３２に支持されている。フック４２は、係止溝４２ａを有する鉤状の部材であり、係止位置と開放位置との間を回転可能に支持され、係止位置で係止棒４１を係止する一方、開放位置で係止棒４１を開放する。これにより、装置本体２に抽斗３を収納した状態で係止棒４１がフック４２に係止され、装置本体２に対する抽斗３の引き出しを制限する。
【００１９】
ソレノイド４３は、フック４２を係止位置から開放位置に回転させるもので、硬貨収納装置１が接続された外部機器（貨幣処理装置ＣやＰＯＳレジスタ）からの指令により、フック４２を係止位置から開放位置に回転させる。これにより、係止棒４１がフック４２から開放され、装置本体２に対する抽斗３の引き出しを許容する。
【００２０】
また、装置本体２と抽斗３との間には、ダンパー装置５が設けてある。ダンパー装置５は、抽斗３の閉めきり直前における衝撃を緩衝する一方、抽斗３の引き出しが許容された場合に抽斗３をわずかに飛び出させるものである。本実施の形態では、抽斗３にダンパー５１とバネ５２とを設ける一方、装置本体２にダンパー５１とバネ５２とが当接する当接金具５３を設けることによって、ダンパー装置５を構成している。
【００２１】
また、図１〜図５に示すように、抽斗３の正面中程には、錠３３が設けてある。錠３３は、抽斗３を施錠するためのもので、鍵により、施錠位置、解錠位置のいずれかの位置をとる。
【００２２】
施錠位置は、抽斗３を施錠する位置であり、錠３３がこの位置にある場合には、外部機器（貨幣処理装置ＣやＰＯＳレジスタ）からの指令により、ロック機構４のソレノイド４３がフック４２を係止位置から開放位置に回転させても、装置本体２に対する抽斗３の引き出しを制限する。これにより、キャッシャー（店員）がＰＯＳレジスタの前から離れた状態で、第三者が貨幣処理装置ＣやＰＯＳレジスタを操作しても、抽斗３が引き出されることがない。
【００２３】
解錠位置は、抽斗３を解錠する位置であり、錠３３がこの位置にある場合には、外部機器（貨幣処理装置ＣやＰＯＳレジスタ）からの指令により、ロック機構４のソレノイド４３がフック４２を係止位置から開放位置に回転させると、装置本体２に対する抽斗３の引き出しを許容する。これにより、キャッシャーがＰＯＳレジスタを操作する場合には、錠３３を解錠位置にしておくことにより、貨幣処理装置ＣやＰＯＳレジスタからの操作によりいつでも硬貨を補充できる。
【００２４】
なお、錠３３は、上述した施錠位置、解錠位置のほかに、保守位置をとるものとしてもよい。保守位置は、停電等の理由により、硬貨収納装置１を貨幣処理装置ＣやＰＯＳレジスタからの指令で開錠できない場合、鍵により錠３３を保守位置に回転させることで、図示しないリンク機構により、ロック機構４のフック４２を開放位置に回転させる。
【００２５】
図２および図４に示すように、抽斗３の内部には、収納トレイ６が取り付けてある。収納トレイ６は、あらかじめ定めた種類の棒状硬貨をあらかじめ定めた位置に収納するためのもので、複数のユニット６１〜６６を組み合わせて構成してある。本発明の実施の形態の収納トレイ６は、図７に示すように、１系硬貨収納ユニット６１〜６３、５系硬貨収納ユニット６４、制御ユニット６５、券類等収納ユニット６６などの平面視矩形のユニット６１〜６６を任意に組み合わせて構成してある。
【００２６】
１系硬貨収納ユニット６１〜６３は、使用頻度が高い１系硬貨、すなわち、１円、１０円、１００円硬貨を収納するためのもので、１円硬貨収納ユニット６１、１０円硬貨収納ユニット６２、１００円硬貨収納ユニット６３、の種別がある。１系硬貨収納ユニット６１〜６３は、収納する硬貨の種別によって色分けしてある。たとえば、１円硬貨収納ユニット６１は青色、１０円硬貨収納ユニット６２は黄色、１００円硬貨収納ユニット６３は緑色に色分けしてある。これにより、１系硬貨収納ユニット６１〜６３の種別は簡単に見分けられる。
【００２７】
１円硬貨収納ユニット６１、１０円硬貨収納ユニット６２、１００円硬貨収納ユニット６３は、同じ大きさ（同じ外形寸法）であり、抽斗３の内部において前後方向（引出方向）および左右方向（幅方向）に並べた状態で取り付け可能である。本発明の実施の形態では、抽斗３の内部において、前後方向に２列、左右方向に３列の１系硬貨収納ユニット６１〜６３が取り付け可能である。
【００２８】
５系硬貨収納ユニット６４は、使用頻度が低く、１系硬貨で代替が可能な５系硬貨、すなわち、５円、５０円、５００円硬貨を収納するためのもので、１つの５系硬貨収納ユニット６４で５円、５０円、５００円硬貨のすべてが収納可能である。５系硬貨収納ユニット６４は、１系硬貨収納ユニット６１〜６３と異なる色で色分けしてある。たとえば、５系硬貨収納ユニット６４は、橙色に色分けしてある。これにより、５系硬貨収納ユニット６４は、１系硬貨収納ユニット６１〜６３と簡単に見分けられる。
【００２９】
５系硬貨収納ユニット６４は、上述した１系硬貨収納ユニット６１〜６３と左右方向（幅方向）が異なる大きさ（異なる寸法）である。本発明の実施の形態では、抽斗３の内部の右奥に５系硬貨収納ユニット６４が取り付け可能である。
【００３０】
制御ユニット６５は、制御基板を収納するためのもので、上述した５系硬貨収納ユニット６４と同じ大きさ（同じ外形寸法）に構成してある。これにより、制御ユニット６５は、抽斗３の内部において５系硬貨収納ユニット６４と左右方向（幅方向）に並べた状態で取り付け可能である。本発明の実施の形態では、抽斗３の内部において、引出方向奥側であって、装置本体の上に載置する貨幣処理装置の前面突出部Ｃ１と対応する領域（本実施の形態では左側）に制御ユニット６５を５系硬貨収納ユニット６４とともに取り付ける（固定）。
【００３１】
券類等収納ユニット６６は、図８および図９に示すように、紙幣や商品券などの券類やハンコなどの小物を収納するためのもので、上述した１系硬貨収納ユニット６１〜６３の整数倍の大きさに構成してある。具体的には、１系硬貨収納ユニット６１〜６３を前後方向（引出方向）に２つ並べた大きさ（二倍の大きさ）に構成してある。これにより、券類等収納ユニット６６は、抽斗３の内部において前後２つの１系硬貨収納ユニット６１〜６３の代わりに取り付け可能である。
【００３２】
また、特に図示しないが、商品券や券類を収納する券類収納ユニット、バラ硬貨やリジェクト硬貨（貨幣処理装置Ｃにおいてはじかれた硬貨）、紙幣を収納する貨幣収納ユニット等を取り付けることも可能である。この場合には、これらを取り付け可能にすべく、１系硬貨収納ユニット６１〜６３や５系硬貨収納ユニット６４を適宜配置することになる。
【００３３】
たとえば、図４に示す例では、収納トレイ６を、６つの１系硬貨収納ユニット６１〜６３、１つの５系硬貨収納ユニット６４、１つの制御ユニット６５を組み合わせて構成している。この組み合わせでは、抽斗３の内部において、引出方向奥側から３分の１となる領域の左側に制御ユニット６５を取り付け、その右側に５系硬貨収納ユニット６４を取り付けるとともに、引出方向手前側から３分の２となる領域に前後方向に２列、左右方向に３列の１系硬貨収納ユニット６１〜６３を取り付ける。ここで取り付ける１系硬貨収納ユニット６１〜６３は、たとえば、１円硬貨収納ユニット６１、１０円硬貨収納ユニット６２、１００円硬貨収納ユニット６３であり、前後が同じで、左側から右側に金額が大きくなるように取り付ける。
【００３４】
また、たとえば、図９に示す例では、前後２つの１円硬貨収納ユニット６１を取り外すとともに、１０円硬貨収納ユニット６２、及び１００円硬貨収納ユニット６３を左側にずらし、その空き領域に券類等収納ユニット６６を組み合わせて構成している。この組み合わせでは、抽斗３の内部において、引出方向手前側から３分の２となる領域の右側に券類等収納ユニット６６を取り付けるとともに、その左側に前後方向に２列、左右方向に２列の１系硬貨収納ユニット６２、６３を取り付ける。ここで取り付ける１系硬貨収納ユニット６２、６３は、１０円硬貨収納ユニット６２、１００円硬貨収納ユニット６３であり、前後が同じで、左から右に金額が大きくなるように取り付ける。
【００３５】
図１０および図１１に示すように、１系硬貨収納ユニット６１〜６３および５系硬貨収納ユニット６４は、個々の上面に複数の収納溝６０が設けてある。収納溝６０は、棒状硬貨を横倒し姿勢で収納するための半円筒状の凹溝であり、軸心が抽斗３の前後方向に沿う態様で形成してある。
【００３６】
１系硬貨収納ユニット６１〜６３には、それぞれ同一種類の硬貨を収納する収納溝６０が４つ設けてあり、５系硬貨収納ユニット６４には、３種類の異なる硬貨について、それぞれの硬貨を収納する収納溝６０が２つずつ、計６つ設けてある。図１２および図１３に示すように、収納溝６０は、収納する棒状硬貨の外径と積層高さに合わせて形成してあり、収納溝６０の深さと幅は、対応する外径を有する棒状硬貨が収納された場合に抽斗３が装置本体２に収納可能となる突出高さとなり、対応する外径よりも大きな外径を有する棒状硬貨が収納された場合に抽斗３が装置本体２に収納不能となる突出高さとなるように設定してある。
【００３７】
具体的には、対応する外径を有する棒状硬貨が横倒し姿勢で収納溝６０に収納された場合に棒状硬貨の頂点と装置本体２の前面開口（縁）との間に１ｍｍ程度の隙間が残り、対応する外径を有する棒状硬貨よりも大きな外形を棒状硬貨が横倒し姿勢で収納された場合に棒状硬貨の頂点が装置本体２の前面開口（縁）と干渉するように、収納溝６０の深さと幅が設定してある。
【００３８】
ところで、収納溝６０の幅を考慮せずに、収納溝６０の深さだけを収納する棒状硬貨の外径に合わせると、棒状硬貨の外径の差だけで装置本体２の前面開口（縁）との間に隙間が残ったり、装置本体２の前面開口（縁）と干渉したりすることになる。ここで、外径の差が最も少ない５円硬貨と１００円硬貨とを比べると、１００円硬貨が５円硬貨よりも０．６ｍｍ大きいだけである。これにより、収納溝６０の深さだけで、５円硬貨用の収納溝６０に１００円硬貨を収納された場合に１００円硬貨の頂点が装置本体２の前面開口に干渉させることは難しい。
【００３９】
そこで、本実施の形態では、収納溝６０の深さと幅により、対応する外径を有する棒状硬貨が横倒し姿勢で収納溝６０に収納された場合に棒状硬貨の頂点と装置本体２の前面開口との間に１ｍｍ程度の隙間が残り、対応する外径を有する棒状硬貨よりも大きな外形を棒状硬貨が横倒し姿勢で収納された場合に棒状硬貨の頂点が装置本体２の前面開口（縁）と干渉するようにしている。
【００４０】
これにより、収納溝６０の深さ、幅、奥行きは、収納する棒状硬貨の種類ごとに異なる。そして、棒状硬貨は、棒状硬貨の外形と積層高さに合わせて形成された収納溝６０に横倒し姿勢で収納される。
【００４１】
たとえば、図１４に示すように、１円硬貨収納ユニット６１には、１円硬貨（棒状硬貨）を収納する収納溝６０が４つ設けてある。１円硬貨を収納する収納溝６０は、１円硬貨（棒状硬貨）の外形と積層高さに合わせて形成してあり、１円硬貨よりも大きな１０円硬貨を収納した場合には、１円硬貨収納ユニット６１の上面からの突出高さが適正な硬貨、すなわち、１円硬貨を収納した場合の突出高さよりも高くなり、装置本体２の前面開口（縁）と干渉する。これにより、この収納溝６０に対応する硬貨以外の硬貨が収納されていることが簡単にわかる。
【００４２】
図１５に示すように、１系硬貨収納ユニット６１〜６３と５系硬貨収納ユニット６４には、収納溝６０ごとに、収納溝６０に棒状硬貨が収納された場合に収納された棒状硬貨によって出力が変動する出力手段７が設けてある。出力手段７は、収納溝６０の下方域に設けたコイル７１と、収納溝６０に挿通する光を検出する光センサ（図示せず）とを備える。
【００４３】
コイル７１は、収納溝６０に棒状硬貨が収納された場合に磁気インピーダンスが変動する磁気コイルで、ユニット６１〜６４の裏面において収納溝６０の延在方向中央となる部位に配設してある。これにより、コイル７１は、硬貨の材質（白銅系の硬貨（５０円硬貨、１００円硬貨、５００円硬貨）であるか、白銅系以外の硬貨（１円硬貨、５円硬貨、１０円硬貨であるか）を区別できる。光センサは、収納溝６０に棒状硬貨が収納された場合に受光する光量が変動するもので、収納溝６０に挿通する光を投光する投光素子と、投光素子と対向し投光素子から投光された光を受光する受光素子とを備えている。投光素子は、収納溝６０の一端に配設してあり、受光素子は、収納溝６０の他端に配設してある。より具体的には、孔あき硬貨であるか否かで区別する必要がある硬貨（たとえば、５円硬貨と１０円硬貨、５０円硬貨と１００円硬貨）を収納する収納溝６０には、投光素子から投光された光が孔あき硬貨の孔を通り受光素子に到達するように、投光素子と受光素子とが配設してある。これにより、光センサは、コイル７１で区別しにくい材質の硬貨（５円硬貨と１０円硬貨、５０円硬貨と１００円硬貨）を孔の有無で区別することが可能である。また、外径で区別する必要がある硬貨（たとえば、１００円硬貨と５００円硬貨）を収納する収納溝６０には、投光素子から投光された光が小径の硬貨（１００円硬貨）の肩上を通り受光素子に到達する一方、投光素子から投光された光が大径の硬貨（５００円硬貨）で遮断されるように、投光素子と受光素子とが配設してある。これにより、コイル７１で区別しにくい材質の硬貨を硬貨の外径で区別することが可能である。
【００４４】
１系硬貨収納ユニット６１〜６３と５系硬貨収納ユニット６４には、ユニットごとに、中継基板８が設けてある。中継基板８には、ユニットを識別する検出器、ユニット６１〜６４を識別する信号や電圧を出力するポート、コイル７１からの出力を増幅する増幅回路、光センサからの出力を増幅する増幅回路が設けてある。
【００４５】
ユニット６１〜６４を識別する検出器は、ユニット６１〜６４の種別を識別するものであり、センサやスイッチで構成し、たとえば、ユニット６１〜６４の種別ごとに異なる高さで設けた突起や、ユニット６１〜６４の種別ごとに異なる値の抵抗を検出することにより、ユニット６１〜６４の種別を識別する。より具体的には、ユニット６１〜６４の下面から下方に向けて突出した突起の高さをユニットの種別ごとに第１〜第４の高さとし、中継基板８に設けたセンサがこの高さを識別することにより、ユニットの種別を識別する。または、ユニット６１〜６４の下面にユニットの種別ごとに第１〜第４の抵抗値を有する抵抗を配置し、抵抗に接続された中継基板８で得られる電圧を識別することにより、ユニットの種別を識別する。これにより、ユニット６１〜６４を識別する検出器は、中継基板８が取り付けられたユニット６１〜６４が１円硬貨収納ユニット６１、１０円硬貨収納ユニット６２、１００円硬貨収納ユニット６３、５系硬貨収納ユニット６４のいずれであるかを識別する。
【００４６】
ユニット６１〜６４を識別する信号や電圧を出力するポートから出力される信号や電圧は、ユニット６１〜６４ごとに固有のものであり、１円硬貨収納ユニット６１、１０円硬貨収納ユニット６２、１００円硬貨収納ユニット６３、５系硬貨収納ユニット６４にそれぞれ割り振られる。なお、ポートから出力される信号や電圧は、中継基板８に設けたジャンパーピンによってピン同士をショートさせることにより、固有のものになる。
【００４７】
１系硬貨収納ユニット６１〜６３と５系硬貨収納ユニット６４に設けた中継基板８は、制御ユニット６５に収納された制御基板（図示せず）に接続される。制御基板に設けられた制御部は、中継基板８から出力された信号や電圧により、中継基板８が取り付けられたユニット６１〜６４の種別を識別するとともに、収納溝６０ごとに備えたコイル７１の出力と光センサの出力とから、収納溝６０ごとに、棒状硬貨が収納されているか否かを識別し、収納溝６０に棒状硬貨が収納されている場合にその棒状硬貨がいかなる種類のものであるかを識別する。これにより、制御部は、収納溝６０に適正な棒状硬貨が収納されているか否かが判別可能になる。また、制御部は、識別した識別情報に基づいて抽斗３に収納されている棒状硬貨の種類や数量を求める。
【００４８】
また、制御基板には、外部機器に情報を送信する通信手段が設けてある。通信手段は、外部機器（貨幣処理装置ＣやＰＯＳレジ）と接続され、制御部が識別した識別情報や求めた棒状硬貨の種類や数量の情報は、これにより外部機器に伝達される。
【００４９】
図１６に示すように、複数のユニット６１〜６６を組み合わせて構成した収納トレイ６において、隣り合うユニット６１〜６６は連結手段９により連結される。本実施の形態では、ユニット６１〜６６のそれぞれに設けた係止爪９１と、係止爪９１が嵌め込まれ、ユニット６１〜６６が取り付けられる連結具９２とによって、連結手段９を構成している。
【００５０】
ところで、上述したように、１系硬貨収納ユニット６１〜６３と、５系硬貨収納ユニット６４、制御ユニット６５、券類等収納ユニット６６とでは、大きさが異なるため、最も多く組み合わせられる１系硬貨収納ユニット６１〜６３を基準に係止爪９１の配置位置を決定する。これにより、係止爪９１は、図１７に示すように、１系硬貨収納ユニット６１〜６３において裏面側四隅となる位置に設けられる。また、５系硬貨収納ユニット６４や制御ユニット６５、券類等収納ユニット６６では、１系硬貨収納ユニット６１〜６３に設けた係止爪９１と対応する位置（１系硬貨収納ユニット６１〜６３における係止爪９１の位置を、５系硬貨収納ユニット６４や制御ユニット６５、券類等収納ユニット６６投影した位置）に設けられる。
【００５１】
係止爪９１は、ユニット６１〜６６の裏面（下面）から下方に向けて突出するように設けられる。係止爪９１は、基部９１１と、基部９１１よりも大きな頭部９１２とにより構成される。
【００５２】
連結具９２は、連結部９２１と保護部９２２とが交互に設けてある。連結部９２１は、ユニット６１〜６６の係止爪９１を取り付けるための部分で、ユニット６１〜６６の裏面が接するように設けてある。図１５に示すように、連結部９２１には、係止爪９１が嵌め込まれ、係止される係止孔９２１ａが設けてある。ユニット６１〜６６とユニット６１〜６６とが隣り合う連結部９２１では、一方のユニット６１〜６６を取り付ける係止孔９２１ａと他方のユニット６１〜６６を取り付ける係止孔９２１ａとが並んで設けてある。係止孔９２１ａは、矩形の孔であり、係止孔９２１ａに挿通した係止爪９１の頭部９１２が係止孔９２１ａの縁部に係止される。
【００５３】
保護部９２２は、複数のユニット６１〜６６を連結した収納トレイ６を抽斗３に取り付ける部分で、連結部９２１との間に脚部９２３を介して設けてある。脚部９２３は、連結部９２１と保護部９２２との間に中継基板８を収容する空間を確保するための部分で、保護部９２２がユニット６１〜６４の裏面に取り付けた中継基板８よりも突出する高さを確保している。保護部９２２には、雌ネジ（図示せず）が設けてあり、抽斗３に設けた孔（図示せず）を挿通した雄ネジがネジ止めされることによって、複数のユニット６１〜６６を連結した連結具９２が抽斗３に取り付けられる。
【００５４】
なお、連結手段９は、これに限られるものではなく、隣り合う一方のユニット６１〜６６の一方に係止爪を設ける一方、他方のユニット６１〜６６に係止穴を設け、順々に連結するものとしてもよい。
【００５５】
上述した実施の形態である硬貨収納装置１の収納トレイ６は、１系硬貨収納ユニット６１〜６３（１円硬貨収納ユニット６１、１０円硬貨収納ユニット６２、１００円硬貨収納ユニット６３）、５系硬貨収納ユニット６４、制御ユニット６５、券類等収納ユニット６６などの平面視矩形のユニット６１〜６６を任意に組み合わせて構成し、ユニット６１〜６６を抽斗３にそれぞれ着脱可能に取り付けたので、必要に応じてユニット６１〜６６を入れ替えれば、収納する棒状硬貨の種類や数量を変更できる。
【００５６】
また、隣接する前後二つの１系硬貨収納ユニット６１〜６３の代わりに券類等収納ユニット６６を取り付ければ、紙幣や商品券などの券類やハンコなどの小物の収納も可能になる。
【００５７】
また、本発明の実施の形態である硬貨収納装置１において、硬貨収納ユニット６１〜６４に設けた収納溝６０の深さと幅は、対応する外径を有する棒状硬貨が収納された場合に収納された棒状硬貨と装置本体２の前面開口（縁）との間に隙間が残り、対応する外径よりも大きな外径を有する棒状硬貨が収納された場合に収納された棒状硬貨と装置本体２の前面開口（縁）とが干渉するように設定してあるので、対応する外径よりも大きな外径を有する棒状硬貨を収納した場合には抽斗３が装置本体２に収納不能となる。これにより、棒状硬貨を棒状硬貨の種類に対応する収納溝６０よりも小さな収納溝６０に収納したり、収納すべき棒状硬貨よりも大きな外径の棒状硬貨を収納しても簡単にわかる。
【００５８】
特に、硬貨の材質で区別しにくい１円硬貨と１０円硬貨において１円硬貨用の収納溝に１０円硬貨を誤って収納したり、５０円硬貨と１００円硬貨において５０円用硬貨の収納溝に１００円硬貨を誤って収納しても、簡単にわかる。
【００５９】
また、実施の形態である硬貨収納装置１は、抽斗３を施錠する錠３３を設けたので、キャッシャー（店員）がＰＯＳレジスタの前から離れた状態で、第三者が貨幣処理装置ＣやＰＯＳレジスタを操作しても抽斗３が引き出されることはない。これにより、第三者による悪戯等を防止できる。
【００６０】
また、実施の形態である硬貨収納装置１は、コイル７１や光センサの出力から収納溝６０ごとに棒状硬貨が収納されているか否か、収納溝６０に棒状硬貨が収納されている場合にその棒状硬貨がいかなる種類のものであるかを識別する制御ユニット６５を抽斗３の引出方向奥側であって、装置本体上に載置される貨幣処理装置Ｃの前面突出部Ｃ１を成す貨幣取出部と対応する領域に設けたので、制御ユニット６５を貨幣処理装置を載せた硬貨収納処理装置において操作が不便な位置に、棒状硬貨を収納する収納溝を操作が便利な好適位置に配置することができる。すなわち、これより棒状硬貨の収納、取出しが容易で、使い勝手の良い硬貨収納装置を提供することができる。
【００６１】
上述した実施の形態では、１系硬貨収納ユニット６１〜６３は、それぞれ同一種類の硬貨を収納する１円硬貨収納ユニット６１、１０円硬貨収納ユニット６２、１００円硬貨収納ユニット６３の種別を設けることにしたが、５系硬貨収納ユニット６４と同様に、一つの１系硬貨収納ユニット６１〜６３に異なる種類の硬貨を収納する収納溝６０をそれぞれ設けるものとしてもよい。たとえば、一つの１系硬貨収納ユニット６１〜６３に、１円硬貨用の収納溝６０、１０円硬貨用の収納溝６０、１００円硬貨用の収納溝６０を設けるものとしてもよい。
【００６２】
また、本実施の形態である硬貨収納装置は、下記の特徴を有する。
１．装置本体と、該装置本体の前面から手前側に引き出し可能に配設された抽斗と、前記装置本体に前記抽斗が収納された状態で、前記抽斗の引き出しを制限する一方、外部機器からの指令により、前記抽斗の引き出しを許容するロック機構とを備えた硬貨収納装置において、
前記抽斗の前面に前記抽斗の引き出しを制限する錠を設けたことを特徴とする硬貨収納装置。
２．前記錠は、前記抽斗の引き出しを制限する施錠位置と、前記ロック機構が引き出しを許容した場合に前記抽斗の引き出しを許容する解錠位置のいずれかの位置をとることを特徴とする１に記載の硬貨収納装置。
【符号の説明】
【００６３】
１    硬貨収納装置
２    装置本体
３    抽斗
３１    抽斗側ガイド部材
３２    金具
３３    錠
４    ロック機構
４１    係止棒
４２    フック
４２ａ    係止溝
４３    ソレノイド
５    ダンパー装置
５１    ダンパー
５２    バネ
５３    当接金具
６    収納トレイ
６０    収納溝
６１    １円硬貨収納ユニット（１系硬貨収納ユニット）
６２    １０円硬貨収納ユニット（１系硬貨収納ユニット）
６３    １００円硬貨収納ユニット（１系硬貨収納ユニット）
６４    ５系硬貨収納ユニット
６５    制御ユニット
６５１    制御基板
６６    券類等収納ユニット
７    出力手段
７１    コイル
８    中継基板
９    連結手段
９１    係止爪
９１１    基部
９１２    頭部
９２    連結具
９２１    連結部
９２１ａ    係止孔
９２２    保護部
９２３    脚部
Ｃ    貨幣処理装置
Ｃ１    前面突出部
【図１】
0005953830.tif 000002
【図２】
0005953830.tif 000003
【図３】
0005953830.tif 000004
【図４】
0005953830.tif 000005
【図５】
0005953830.tif 000006
【図６】
0005953830.tif 000007
【図７】
0005953830.tif 000008
【図８】
0005953830.tif 000009
【図９】
0005953830.tif 000010
【図１０】
0005953830.tif 000011
【図１１】
0005953830.tif 000012
【図１２】
0005953830.tif 000013
【図１３】
0005953830.tif 000014
【図１４】
0005953830.tif 000015
【図１５】
0005953830.tif 000016
【図１６】
0005953830.tif 000017
【図１７】
0005953830.tif 000018